(57)【要約】【課題】毛穴に関する情報を用いて高精度な人物認証を行う。【解決手段】毛穴に関する情報を用いて人物認証を行うための認証方法において、ユーザにより認証を行う毛穴の領域を設定する認証領域設定ステップと、前記認証位置設定ステップにより設定された認証領域を含む画像を撮影する毛穴撮影ステップと、前記毛穴撮影ステップにより撮影された毛穴画像から毛穴に関する情報を抽出する毛穴抽出ステップと、前記毛穴抽出ステップにより抽出された毛穴の配列情報及び／又は特徴情報と、予め登録された複数の人物に対する毛穴の配列情報及び／又は特徴情報とに基づいて認証を行う認証ステップとを有することにより、上記課題を解決する。【選択図】図１
2007310676.tif 000002
【特許請求の範囲】
【請求項１】
毛穴に関する情報を用いて人物認証を行うための認証方法において、
ユーザにより認証を行う毛穴の領域を設定する認証領域設定ステップと、
前記認証位置設定ステップにより設定された認証領域を含む画像を撮影する毛穴撮影ステップと、
前記毛穴撮影ステップにより撮影された毛穴画像から毛穴に関する情報を抽出する毛穴抽出ステップと、
前記毛穴抽出ステップにより抽出された毛穴の配列情報及び／又は特徴情報と、予め登録された複数の人物に対する毛穴の配列情報及び／又は特徴情報とに基づいて認証を行う認証ステップとを有することを特徴とする認証方法。
【請求項２】
毛穴に関する情報を用いて人物認証を行うための認証方法において、
ユーザの毛穴を有する部位の画像を撮影する毛穴撮影ステップと、
前記毛穴撮影ステップにより撮影された画像から認証に用いられる領域を特定する領域特定ステップと、
前記領域特定ステップにより特定された領域に含まれる毛穴に関する情報を抽出する毛穴抽出ステップと、
前記毛穴抽出ステップにより抽出された毛穴の配列情報及び／又は特徴情報と、予め登録された複数の人物に対する毛穴の配列情報及び／又は特徴情報とに基づいて認証を行う認証ステップとを有することを特徴とする認証方法。
【請求項３】
前記毛穴抽出ステップは、
所定の毛穴を基準として、その他の毛穴までの毛穴間距離、方向を前記配列情報として抽出することを特徴とする請求項１又は２に記載の認証方法。
【請求項４】
前記毛穴抽出ステップは、
前記毛穴の中心、重心、及び前記毛穴から生える産毛の毛根位置のうち少なくとも１つからなる代表位置情報を前記特徴情報として抽出することを特徴とする請求項１乃至３の何れか１項に記載の認証方法。
【請求項５】
前記毛穴抽出ステップは、
前記代表位置情報と、前記代表位置情報に対する産毛の長さ、産毛の色、毛穴の色、毛穴の大きさ、及び毛穴の形状のうち少なくとも１つからなる付加情報とを前記特徴情報として抽出することを特徴とする請求項１乃至４の何れか１項に記載の認証方法。
【請求項６】
前記領域特定ステップは、
前記毛穴撮影ステップにより撮影された画像から得られる少なくとも１つの特徴点を通る１又は複数の特徴線、又は前記特徴線を平行移動して得られる特徴線に基づいて領域を特定することを特徴とする請求項２に記載の認証方法。
【請求項７】
毛穴に関する情報を用いて人物認証を行う認証装置において、
ユーザにより設定された認証を行う毛穴の領域を含む画像から毛穴に関する情報を抽出する毛穴抽出手段と、
前記毛穴抽出手段により抽出された毛穴の配列情報及び／又は特徴情報と、予め登録された複数の人物に対する毛穴の配列情報及び／又は特徴情報とに基づいて認証を行う認証手段とを有することを特徴とする認証装置。
【請求項８】
毛穴に関する情報を用いて人物認証を行う認証装置において、
ユーザの毛穴を有する部位の画像を撮影する撮影手段と、
前記撮影手段により撮影された画像から認証に用いられる領域を特定する領域特定手段と、
前記領域特定手段により特定された領域に含まれる毛穴に関する情報を抽出する毛穴抽出手段と、
前記毛穴抽出手段により抽出された毛穴の配列情報及び／又は特徴情報と、予め登録された複数の人物に対する毛穴の配列情報及び／又は特徴情報とに基づいて認証を行う認証手段とを有することを特徴とする認証装置。
【請求項９】
前記毛穴抽出手段は、
所定の毛穴を基準として、その他の毛穴までの毛穴間距離、方向を前記配列情報として抽出することを特徴とする請求項７又は８に記載の認証装置。
【請求項１０】
前記毛穴抽出手段は、
前記毛穴の中心、重心、及び前記毛穴から生える産毛の毛根位置のうち少なくとも１つからなる代表位置情報を前記特徴情報として抽出することを特徴とする請求項７乃至９の何れか１項に又は８に記載の認証装置。
【請求項１１】
前記毛穴抽出手段は、
前記代表位置情報と、前記代表位置情報に対する産毛の長さ、産毛の色、毛穴の色、毛穴の大きさ、及び毛穴の形状のうち少なくとも１つからなる付加情報とを前記特徴情報として抽出することを特徴とする請求項７乃至１０の何れか１項に記載の認証装置。
【請求項１２】
前記領域特定手段は、
前記撮影手段により撮影された画像から得られる少なくとも１つの特徴点を通る１又は複数の特徴線、又は前記特徴線を平行移動して得られる特徴線に基づいて領域を特定することを特徴とする請求項８に記載の認証装置。
【請求項１３】
請求項１乃至６の何れか１項に記載の認証方法を実行させるようにコンピュータを動作させることを特徴とする認証プログラム。
【請求項１４】
請求項１３に記載の認証プログラムが記録されたコンピュータ読み取り可能な記録媒体。
【発明の詳細な説明】
【技術分野】
【０００１】
本発明は、認証方法、認証装置、認証プログラム、及び該プログラムが記録された記録媒体に係り、特に毛穴に関する情報を用いて高精度な人物認証を行うための認証方法、認証装置、認証プログラム、及び該プログラムが記録された記録媒体に関する。
【背景技術】
【０００２】
従来、セキュリティを重視する施設への入退室や、情報システムへのログイン等の目的で人物の顔画像や指紋、手相、静脈、声、虹彩の身体的な特徴に基づいて人物を特定する技術が存在する（例えば、特許文献１、特許文献２参照。）。
【０００３】
ここで、特許文献１には、画像を撮影し、撮影した画像情報等から人の顔を検出し、検出した顔の注視点の位置から特徴量を抽出し、その特徴量に基づいて撮影された人物の人種を推定することが示されている。また、特許文献２は、指紋が人か否かを見分けるために汗腺／毛穴データが用いられている。
【特許文献１】特開２００５−２６６９８１号公報
【特許文献２】特開２００３−１２６０６７号公報
【発明の開示】
【発明が解決しようとする課題】
【０００４】
ところで、従来の人物認証については、上述したように顔画像や虹彩、指紋等を用いた認証があるが、認証に用いられる部位は顔や目、指等、予め特定されてしまうことが多い。
【０００５】
また、従来の認証部位は、時間が経過しても変化がないことが条件となる。つまり、従来の認証部位は変化することがないため、パスワード等の文字情報とは異なり定期的に変更することができず、仮に指紋等が盗まれた場合には、認証システム自体を変更する必要が生じてしまう。また、顔や虹彩認証等の場合には、眼鏡を掛けている場合には、認証の都度眼鏡を外して認証処理を行うため、煩わしさがある。
【０００６】
そこで、上述した課題を解決するため、ある程度の変化を伴う部位を認証に適用することで、安全性を向上させた認証を実現することが好ましく、人体の中で変化を伴う部位としては、例えば毛穴がある。ここで、特許文献２には、汗腺／毛穴データを用いているが、ここで用いられている毛穴データは指紋が人か否かを見分けるため、即ちなりすまし防止に用いられているだけであり、人物を特定するために用いられておらず、そのための具体的な開示もされていない。
【０００７】
本発明は、上記の問題点に鑑みてなされたものであって、毛穴に関する情報を用いて高精度な人物認証を行うための認証方法、認証装置、認証プログラム、及び該プログラムが記録された記録媒体を提供することを目的とする。
【課題を解決するための手段】
【０００８】
上記課題を解決するために、本件発明は、以下の特徴を有する課題を解決するための手段を採用している。
【０００９】
請求項１に記載された発明は、毛穴に関する情報を用いて人物認証を行うための認証方法において、ユーザにより認証を行う毛穴の領域を設定する認証領域設定ステップと、前記認証位置設定ステップにより設定された認証領域を含む画像を撮影する毛穴撮影ステップと、前記毛穴撮影ステップにより撮影された毛穴画像から毛穴に関する情報を抽出する毛穴抽出ステップと、前記毛穴抽出ステップにより抽出された毛穴の配列情報及び／又は特徴情報と、予め登録された複数の人物に対する毛穴の配列情報及び／又は特徴情報とに基づいて認証を行う認証ステップとを有することを特徴とする。
【００１０】
請求項１記載の発明によれば、毛穴に関する情報を用いて高精度な人物認証を行うことができる。また、ユーザ（認証を行う者）自らが認証に用いる部位を選択することで、他の認証技術と異なり、認証に用いる部位を他人にわからせずに認証を行うことができる。
【００１１】
請求項２に記載された発明は、毛穴に関する情報を用いて人物認証を行うための認証方法において、ユーザの毛穴を有する部位の画像を撮影する毛穴撮影ステップと、前記毛穴撮影ステップにより撮影された画像から認証に用いられる領域を特定する領域特定ステップと、前記領域特定ステップにより特定された領域に含まれる毛穴に関する情報を抽出する毛穴抽出ステップと、前記毛穴抽出ステップにより抽出された毛穴の配列情報及び／又は特徴情報と、予め登録された複数の人物に対する毛穴の配列情報及び／又は特徴情報とに基づいて認証を行う認証ステップとを有することを特徴とする。
【００１２】
請求項２記載の発明によれば、毛穴に関する情報を用いて高精度な人物認証を行うことができる。また、どの部位で認証が行われているかをユーザにわからせずに認証を行うことができる。
【００１３】
請求項３に記載された発明は、前記毛穴抽出ステップは、所定の毛穴を基準として、その他の毛穴までの毛穴間距離、方向を前記配列情報として抽出することを特徴とする。
【００１４】
請求項３記載の発明によれば、毛穴の配置情報を用いることで、高精度な認証を行うことができる。
【００１５】
請求項４に記載された発明は、前記毛穴抽出ステップは、前記毛穴の中心、重心、及び前記毛穴から生える産毛の毛根位置のうち少なくとも１つからなる代表位置情報を前記特徴情報として抽出することを特徴とする。
【００１６】
請求項４記載の発明によれば、代表位置情報を用いることで、高精度な認証を行うことができる。
【００１７】
請求項５に記載された発明は、前記毛穴抽出ステップは、前記代表位置情報と、前記代表位置情報に対する産毛の長さ、産毛の色、毛穴の色、毛穴の大きさ、及び毛穴の形状のうち少なくとも１つからなる付加情報とを前記特徴情報として抽出することを特徴とする。
【００１８】
請求項５記載の発明によれば、毛穴に関する複数の情報を用いて多角的な認証を高精度に行うことができる。これにより、安全性を向上させることができる。
【００１９】
請求項６に記載された発明は、前記領域特定ステップは、前記毛穴撮影ステップにより撮影された画像から得られる少なくとも１つの特徴点を通る１又は複数の特徴線、又は前記特徴線を平行移動して得られる特徴線に基づいて領域を特定することを特徴とする。
【００２０】
請求項６記載の発明によれば、複数の特徴点を基準にして抽出される特徴線を用いて領域を特定し、その領域から毛穴に関する情報を取得することができるため、より高精度な認証を行うことができる。また、迅速且つ効率的に認証範囲を設定することができる。また、認証毎における認証範囲の誤差をなくして高精度な認証を実現することができる。
【００２１】
請求項７に記載された発明は、毛穴に関する情報を用いて人物認証を行う認証装置において、ユーザにより設定された認証を行う毛穴の領域を含む画像から毛穴に関する情報を抽出する毛穴抽出手段と、前記毛穴抽出手段により抽出された毛穴の配列情報及び／又は特徴情報と、予め登録された複数の人物に対する毛穴の配列情報及び／又は特徴情報とに基づいて認証を行う認証手段とを有することを特徴とする。
【００２２】
請求項７記載の発明によれば、毛穴に関する情報を用いて高精度な人物認証を行うことができる。また、ユーザ（認証を行う者）自らが認証に用いる部位を選択することで、他の認証技術と異なり、認証に用いる部位を他人にわからせずに認証を行うことができる。
【００２３】
請求項８に記載された発明は、毛穴に関する情報を用いて人物認証を行う認証装置において、ユーザの毛穴を有する部位の画像を撮影する撮影手段と、前記撮影手段により撮影された画像から認証に用いられる領域を特定する領域特定手段と、前記領域特定手段により特定された領域に含まれる毛穴に関する情報を抽出する毛穴抽出手段と、前記毛穴抽出手段により抽出された毛穴の配列情報及び／又は特徴情報と、予め登録された複数の人物に対する毛穴の配列情報及び／又は特徴情報とに基づいて認証を行う認証手段とを有することを特徴とする。
【００２４】
請求項８記載の発明によれば、毛穴に関する情報を用いて高精度な人物認証を行うことができる。また、どの部位で認証が行われているかをユーザにわからせずに認証を行うことができる。
【００２５】
請求項９に記載された発明は、前記毛穴抽出手段は、所定の毛穴を基準として、その他の毛穴までの毛穴間距離、方向を前記配列情報として抽出することを特徴とする。
【００２６】
請求項９記載の発明によれば、毛穴の配置情報を用いることで、高精度な認証を行うことができる。
【００２７】
請求項１０に記載された発明は、前記毛穴抽出手段は、前記毛穴の中心、重心、及び前記毛穴から生える産毛の毛根位置のうち少なくとも１つからなる代表位置情報を前記特徴情報として抽出することを特徴とする。
【００２８】
請求項１０記載の発明によれば、代表位置情報を用いることで、高精度な認証を行うことができる。
【００２９】
請求項１１に記載された発明は、前記毛穴抽出手段は、前記代表位置情報と、前記代表位置情報に対する産毛の長さ、産毛の色、毛穴の色、毛穴の大きさ、及び毛穴の形状のうち少なくとも１つからなる付加情報とを前記特徴情報として抽出することを特徴とする。
【００３０】
請求項１１記載の発明によれば、毛穴に関する複数の情報を用いて多角的な認証を高精度に行うことができる。これにより、安全性を向上させることができる。
【００３１】
請求項１２に記載された発明は、前記領域特定手段は、前記撮影手段により撮影された画像から得られる少なくとも１つの特徴点を通る１又は複数の特徴線、又は前記特徴線を平行移動して得られる特徴線に基づいて領域を特定することを特徴とする。
【００３２】
請求項１２記載の発明によれば、複数の特徴点を基準にして抽出される特徴線を用いて領域を特定し、その領域から毛穴に関する情報を取得することができるため、より高精度な認証を行うことができる。また、迅速且つ効率的に認証範囲を設定することができる。また、認証毎における認証範囲の誤差をなくして高精度な認証を実現することができる。
【００３３】
請求項１３に記載された発明は、請求項１乃至６の何れか１項に記載の認証方法を実行させるようにコンピュータを動作させることを特徴とする。
【００３４】
請求項１３記載の発明によれば、毛穴に関する情報を用いて高精度な人物認証を行うことができる。また、プログラムをインストールすることにより、汎用のパーソナルコンピュータ等で本発明における認証を容易に実現することができる。
【００３５】
請求項１４に記載された発明は、請求項１３に記載の認証プログラムが記録されたコンピュータ読み取り可能な記録媒体である。
【００３６】
請求項１４記載の発明によれば、記録媒体により他の複数のコンピュータに容易に認証プログラムをインストールすることができる。また、プログラムをインストールすることにより、汎用のパーソナルコンピュータ等で本発明における毛穴に関する情報を用いた認証を容易に実現することができる。
【発明の効果】
【００３７】
本発明によれば、毛穴に関する情報を用いて高精度な人物認証を行うことができる。
【発明を実施するための最良の形態】
【００３８】
以下に、本発明における認証方法、認証装置、認証プログラム、及び該プログラムが記録された記録媒体を好適に実施した形態について、図面を用いて説明する。
【００３９】
＜システム構成＞
図１は、本発明における認証システムの概略構成の一例を示す図である。図１に示す認証システム１０は、毛穴測定装置１１と、認証装置１２とを有するよう構成されており、毛穴測定装置１１及び認証装置１２は、インターネットやＬＡＮ（Ｌｏｃａｌ  Ａｒｅａ  Ｎｅｔｗｏｒｋ）等に代表される通信ネットワーク１３によりデータの送受信が可能な状態で接続されている。
【００４０】
毛穴測定装置１１は、人物の所定部位の毛穴を撮影する。ここで、所定部位とは、例えば顔の鼻や頬、指の背、手の甲、足の甲、腕等、皮膚部分のうち、予め設定された少なくとも１つの位置又は領域を示す。
【００４１】
ここで、毛穴測定装置１１は、例えばＣＣＤ（Ｃｈａｒｇｅ  Ｃｏｕｐｌｅｄ  Ｄｅｖｉｃｅ）カメラ等を用いて所定の照明条件に基づいてユーザ（認証者）の全顔や手の甲等をカメラ位置に対して、少なくとも１つの角度から撮影し、撮影したデジタル画像を取得する。
【００４２】
なお、顔や手の甲等の人物の毛穴を有する所定部位を撮影するための手法としては、例えば高解像のデジタルカメラを搭載した画像計測システムや、ビデオマイクロスコープ（ＶＭＳ：Ｖｉｄｅｏ  Ｍｉｃｒｏ  Ｓｃｏｐｅ）と呼ばれる顕微鏡等により撮影する肌観察システム等を用いることができる。また、上述のシステムの一例としては、例えば本出願人により出願された特願２００５−１３３２７５や特願２００５−３２４１１８に示されている撮影装置等を用いることもできるが、本発明においてはこれに限定されず、例えば高画質カメラ等により撮影された画像であってもよい。
【００４３】
また、毛穴測定装置１１は、撮影した画像等の測定結果の各情報を、通信ネットワーク１３を介して認証装置１２に送信する。
【００４４】
認証装置１２は、毛穴測定装置１１から送信された画像データ等に基づいて、所定領域に含まれる毛穴に関する情報を抽出し、その毛穴に関する情報や撮影された画像と、それらの情報に対応する予め登録された複数の人物の毛穴に関する情報や画像とに基づいて認証を行う。特に、認証装置１２は、後述する毛穴の配列情報及び／又は特徴情報に基づいて認証を行う。なお、認証装置１２は、認証の際、予め蓄積されている、ユーザ毎の経時変化等を分析し、その分析結果に基づいて認証を行うことができる。
【００４５】
ここで、上述したように毛穴は体表のいたるところに存在する。したがって、本発明では、毛穴測定装置１１において、ユーザ自らが認証に用いる毛穴部位（頬、手の甲等）の領域を設定する。これにより、他の認証技術と異なり、認証に用いる部位を他人にわからせずに認証することができる。したがって、安全性を向上させ、より厳しい認証システムを提供することができる。
【００４６】
また、逆に認証装置１２において毛穴測定装置１１により得られる画像から認証に用いる部位の領域を任意に特定することで、どの部位で認証が行われているかをユーザにわからせずに認証を行うことができる。したがって、より厳しい認証システムを提供することができる。
【００４７】
なお、上述した毛穴測定装置１１における領域の設定及び認証装置１２における領域の特定は、何れかの装置が有していればよい。また、各装置において領域を設定又は特定する構成を有していてもよい。その場合、例えばユーザが毛穴測定装置１１における部位の選択で顔を設定した場合でも、認証装置１２において顔を所定の領域で分割し、分割した複数の領域から少なくとも１つの領域を特定することができる。
【００４８】
つまり、本発明は、従来の顔全体から特徴データを抽出するような認証手法と異なり、認証に用いる領域を設定することで、例えばユーザが眼鏡やマスクにより、顔の一部が隠れている場合でも認証を行うことができる。
【００４９】
なお、図１に示すシステム構成は、概略的に毛穴測定装置１１及び認証装置１２をそれぞれ１台有する構成となっているが、本発明においてはこれに限定されず、例えば毛穴測定装置１１及び／又は認証装置１２が複数台有するよう構成されていてもよい。また、毛穴測定装置１１におけるユーザの毛穴画像を撮像するための各構成を認証装置１２内に設けてもよい。
【００５０】
＜毛穴測定装置１１＞
次に、毛穴測定装置１１の機能構成例について図を用いて説明する。図２は、毛穴測定装置の機能構成の一例を示す図である。図２に示す毛穴測定装置１１は、入力手段２１と、出力手段２２と、ユーザ管理手段２３と、認証領域設定手段２４と、撮影手段２５と、蓄積手段２６と、送受信手段２７と、制御手段２８とを有するよう構成されている。
【００５１】
入力手段２１は、認証システム１０を使用するユーザの登録や、測定実施日時の登録等を行う際の各種データの入力を受け付ける。また、入力手段２１は、ユーザからの撮影（測定）実施指示や認証装置１２へのデータの送信指示等を受け付ける。なお、入力手段２１は、例えばキーボードや、マウス等のポインティングデバイスやマイク等の音声インターフェース等からなる。
【００５２】
また、出力手段２２は、入力手段２１により入力された内容や、入力内容に基づいて実行された内容を表示、音声等により出力する。なお、出力手段２２は、ディスプレイやスピーカ等からなる。
【００５３】
また、ユーザ管理手段２３は、上述した認証システム１０を使用するユーザの個人情報及び測定回数等を管理する。具体的には、ユーザ管理手段２３は、ユーザの登録を行ったり、既に登録され蓄積手段２６に蓄積されているユーザを呼び出し、参照、修正、削除等を行うことができる。
【００５４】
なお、ユーザ情報として登録される内容としては、例えば、各ユーザを識別するための「ユーザＩＤ」や「パスワード」、「氏名」、「生年月日」、「性別」、「撮影日時」、「撮影部位」、「撮影した画像の有効期限」、「メモ（備考）」等がある。また、登録されるユーザ情報は、本発明においては特に制限されることはない。
【００５５】
また、ユーザ管理手段２３は、ユーザ登録時には、撮像手段２５を用いて認証に用いる画像を撮影する。なお、ユーザ登録時に撮影される画像は、認証に用いられる毛穴部位と同様の部位である必要がある。また、画像領域の大きさも認証に用いる部位より登録データのほうを大きくする。
【００５６】
例えば、認証に用いる部位が「左手の中指のみ」である場合には、登録時に「両手の指の背の全部」を撮影しておく、また、認証に用いる部位が「右頬の一部」である場合には、「両頬」や「全顔」の画像を取得する。これにより、認証のために他の部位が選択されたとしても登録画像に含まれているため、容易に対応することができる。なお、ユーザ管理手段２３は、ユーザ登録時は、認証に用いられる全ての画像を取得してもよく、また登録時に画像の種類を選択してもよい。
【００５７】
また、認証領域設定手段２４は、認証に用いられる毛穴の領域を設定する。なお、測定位置は、毛穴の存在する体表の各部位から少なくとも１つを設定する。また、設定の際には、ユーザ管理手段２３にてユーザが予め登録した画像に含まれる毛穴部位から選択される。この場合、出力手段２２により認証位置の候補が表示され、入力手段２１により選択することで、容易に設定することができる。
これにより、ユーザ自らが認証に用いる毛穴部位を選択することで、認証に用いる部位を他人にわからせずに認証を行うことができる。したがって、安全性を向上させ、より厳しい認証システムを提供することができる。
【００５８】
撮影手段２５は、ＣＣＤカメラ等よりデジタル画像を取得することができ、ユーザの全顔を複数の角度（例えば、正面、右顔、あるいは左顔等）から撮影したり、手の甲等を撮影する。また、撮影手段２５は、毛穴部位を撮影する場合には、毛穴の詳細な部分までを画像に収めるためフラッシュ撮影により所定部位の画像を取得することが好ましい。
【００５９】
また、認証に用いられる位置にズレにより認証の結果がエラーになることがないように撮影される全顔画像に差ができないようにする必要がある。したがって、撮影手段２５は、撮影時にカメラ等の撮像装置に対してユーザの顔の位置を出力手段２２のディスプレイ等により表示（プレビュー）し、そのプレビュー画面によりユーザを誘導させて所定の位置に顔をセットさせることができる。
【００６０】
また、蓄積手段２６は、上述したユーザ管理手段２３により得られるユーザ情報や、認証領域設定手段２４により得られる認証領域情報、撮影手段２５により得られる各画像データ等を撮影日時情報やユーザ情報と関連付けて蓄積する。
【００６１】
また、送受信手段２７は、毛穴測定装置１１と認証装置１２との間で通信ネットワーク１３を介してデータの送受信を行うための通信インターフェースである。したがって、毛穴測定装置１１は、送受信手段２７が認証装置１２からのユーザ情報や撮影内容等の各種データの取得要求を受信したり、入力手段２１により認証装置１２に各種データの送信指示を受け付けたりした場合に、通信ネットワーク１３を介して認証装置１２に各種データを送信する。また、送受信手段２７は、認証装置１２による認証結果を受信して、その内容を出力手段２２等によりユーザや管理者等に通知する。
【００６２】
また、制御手段２８は、毛穴測定装置１１の各構成部全体の制御を行う。具体的には、例えば認証領域設定手段２４により認証に使用される毛穴の領域を設定させたり、撮影手段により毛穴画像を撮影させ、撮影させた画像をユーザ情報と共に蓄積手段２６に蓄積させたり、ユーザ登録や認証のために撮影された画像や認証領域設定手段２４により設定された認証領域情報を送受信手段２７から認証装置１２に送信させる等の制御を行う。
【００６３】
＜認証装置１２＞
次に、認証装置１２の機能構成例について図を用いて説明する。図３は、認証装置の機能構成の一例を示す図である。図３に示す認証装置１２は、入力手段３１と、出力手段３２と、ユーザ管理手段３３と、領域特定手段３４と、毛穴抽出手段３５と、認証手段３６と、蓄積手段３７と、送受信手段３８と、制御手段３９とを有するよう構成されている。
【００６４】
入力手段３１は、毛穴測定装置１１から得られた各種データから認証を行うための指示を行ったり、認証結果を出力手段３２により表示させるための指示等を行う際の各種データの入力を受け付ける。なお、入力手段３１は、例えばキーボードや、マウス等のポインティングデバイスやマイク等の音声インターフェース等からなる。
【００６５】
また、出力手段３２は、入力手段３１により入力された内容や、入力内容に基づいて実行された内容を表示、音声等により出力する。なお、出力手段３２は、ディスプレイやスピーカ等からなる。
【００６６】
ユーザ管理手段３３は、蓄積手段３７に蓄積されているユーザ情報及び認証するために用いた領域特定情報、認証結果等を管理する。具体的には、ユーザ管理手段３３は、ユーザの登録を行ったり、既に登録され蓄積手段３７に蓄積されているユーザを呼び出し、参照、修正、削除等を行うことができる。
【００６７】
領域特定手段３４は、毛穴測定装置１１から得られた各種画像データから、認証に用いられる少なくとも１つの領域（部位）を特定する。なお、領域特定手段３４は、認証に用いられる領域を管理者等により任意に設定させてもよく、複数の領域候補のうち、予め設定された順序又はランダムに領域を特定してもよい。
【００６８】
また、領域特定手段３４は、例えば前回又はそれ以前の領域特定時に使用した部位に関する情報（画像、文字等）や、実際に特定された領域の情報を出力手段３２に表示させる。
つまり、領域特定手段３４は、前回又はそれ以前においてどの特定領域を設定したかの履歴を表示させる。これにより、同一の領域を長期にわたり設定することがないため、安全性を向上させることができる。また、認証に用いる領域を特定することで、どの部位で認証されているかをユーザにわからせずに認証を行うことができる。したがって、より厳しい認証システムを提供することができる。
【００６９】
毛穴抽出手段３５は、領域特定手段３４により特定された認証に用いられる領域に対して毛穴の抽出を行う。なお、画像処理からの毛穴の抽出手法については、例えば本出願人により出願された特願２００５−１３３２７５に示されている毛穴画像抽出手法を適用することができるが、本発明においてはこれに限定されない。
【００７０】
本実施形態における毛穴抽出手段３５は、毛穴に関する情報として、毛穴の配列情報や特徴情報を抽出する。ここで、毛穴抽出手段３５は、毛穴の配列情報として、例えばある所定範囲に含まれる複数の毛穴のうち、所定の毛穴を基準として、その他の毛穴（例えば、隣接する毛穴等）までの毛穴間距離、方向の情報を抽出する。また、毛穴抽出手段３５は、毛穴の特徴情報として、毛穴の中心、重心、及び前記毛穴から生える産毛の毛根位置のうち少なくとも１つからなる代表位置情報を抽出する。これらの配列情報や代表位置情報を用いて認証を高精度に行うことができる。
【００７１】
また、毛穴抽出手段３５は、特徴情報として上述の代表位置情報の他に代表位置情報に対する産毛の長さ、産毛の色、毛穴の色、毛穴の大きさ、及び毛穴の形状のうち、少なくとも１つからなる付加情報も抽出してもよい。なお、産毛の長さであれば実寸、色ならＲＧＢ値のうちＲ値、ＲＧ比等や複数の産毛の色の平均値等で表現してもよく、また予め設定された条件に基づいてスコア化して数段階にランク付けを行ってもよい。これにより、毛穴に関する複数の情報を用いて多角的な認証を高精度に行うことができる。したがって、安全性を向上させることができる。
【００７２】
なお、毛穴抽出手段３５は、キメがはっきりしている手の甲や指の背等については、キメの分岐点が毛穴になるので、キメの端点や分岐点の属性とそれらの相対的な位置関係を毛穴に関する情報として抽出してもよく、また毛穴の輪郭部分を毛穴に関する情報として抽出してもよい。
【００７３】
なお、毛穴抽出手段３５は、ユーザ登録時に撮影された画像に対して上述した毛穴の配列情報や特徴情報等の毛穴に関する情報を抽出し、抽出した各種情報や撮影された画像等をユーザ情報と関連付けて蓄積手段３７に蓄積しておく。
【００７４】
認証手段３６は、毛穴測定装置１１から得られた画像データ及び毛穴に関する各種情報に基づいて人物認証を行う。また、認証手段３６は、認証結果を送受信手段３８から通信ネットワーク１３を介して毛穴測定装置１１に送信することで、認証の結果を毛穴測定装置１１側で取得することができる。
【００７５】
更に、認証手段３６は、認証結果や認証に用いた画像データ、認証領域に関する各種データを蓄積手段３７により蓄積する。これにより、経時的な個々の毛穴の特徴情報により、更に高精度な認証処理を実現することができる。なお、認証手段３６における具体的な認証手法については後述する。
【００７６】
また、蓄積手段３７は、毛穴測定装置１１から得られたユーザ情報や各種画像データ、認証手段３６により得られる認証結果等を蓄積する。なお、蓄積手段３７は、画像データや認証時に設定した特定領域、認証結果等を撮影日時やユーザ情報等に関連づけて蓄積する。これにより、上述したユーザ毎の履歴情報を蓄積することができ、必要に応じて各種データを取得することができる。
【００７７】
送受信手段３８は、認証装置１２と毛穴測定装置１１との間で通信ネットワーク１３を介してデータの送受信を行うための通信インターフェースである。したがって、認証装置１２は、毛穴測定装置１１にて得られた各種データを通信ネットワーク１３を介して取得する。また、毛穴測定装置１１に各種データの取得要求を行い、まだ送信されていない情報があれば、その情報を取得する。更に、送受信手段３８は、認証結果を毛穴測定装置１１に送信することもできる。
【００７８】
更に、制御手段３９は、認証装置１２の各構成部全体の制御を行う。具体的には、認証装置１２からの測定結果を送受信手段３８で受信させたり、領域特定手段３４により認証に用いられる領域を特定させたり、毛穴抽出手段３５により特定した領域に含まれる毛穴に関する情報を抽出させたり、認証手段３６により認証させる等の制御を行う。
【００７９】
＜認証に用いられる画像領域の設定手法＞
ここで、上述した認証領域設定手段２４及び領域特定手段３４における認証に用いられる画像領域の設定（特定）手法について説明する。
【００８０】
図４は、画像領域の設定方法の一例を示す図である。認証を行う場合には、顔や手の甲（指の背）等、上述した毛穴を有する複数の部位から少なくとも１つを選択する。例えば、顔を選択する場合には、図４（ａ）に示すように顔４１のうち所定の領域を認証用毛穴領域４２として設定することができる。なお、認証用毛穴領域４２のうち、更に詳細な領域からなる詳細領域４３（図４における斜線部）を設けてもよい。ここで、詳細領域４３における大きさや形状（円形、三角形、台形等）については特に限定されない。
【００８１】
また、図４（ｂ）に示す手の甲４４においても同様に認証用毛穴領域４２及び詳細領域４３を設定することができる。なお、この場合には、それぞれの部位を撮影できる撮影手段が必要になる。また、認証領域の特定は、認証を行う毎、又は認証回数あるいは認証時間等の所定のタイミングで行う。なお、これらの認証領域の指定は、画像の撮影前に行ってもよく、また画像の撮影後に行ってもよい。
【００８２】
＜領域特定方法＞
次に、領域特定手段３４において取得した画像から認証に用いられる領域を特定する方法の一例について説明する。図５は、本実施形態における認証領域を特定するための一例を示す図である。
【００８３】
図５に示すように、例えば毛穴測定装置１１における撮像手段２５により撮影された顔画像から認証に用いられる特定位置を特定する場合には、従来の顔の特徴データを抽出する技術（例えば、特許文献１等）を用いて、目尻、目頭、鼻の横、鼻の中央、鼻の下、眉頭、眉尻、唇の端、唇の上、唇の下等の位置（特徴点）を特定する。また、領域特定手段３４は、特定された特徴点の中から少なくとも１つの特徴点を通る特徴線を抽出する。更に、各特徴線を基準として平行移動することにより得られる特徴線を抽出する。
【００８４】
例えば、図５には、特徴線Ａ〜Ｇ（縦線）、ａ〜ｆ（横線）、ａａ，ｂｂ（斜線）を有している。ここで、縦線の特徴線Ａは目尻を通る線であり、特徴線Ｂは目頭を通る線であり、特徴線Ｃは鼻の横を通る線であり、特徴線Ｄは鼻の中央を通る線であり、特徴線Ｅは眉頭を通る線であり、特徴線Ｆは唇の端を通る線であり、特徴線Ｇは眉尻を通る線である。
【００８５】
また、横線の特徴線ａは目頭を通る線であり、特徴線ｂは鼻の下を通る線であり、特徴線ｃは唇の上を通る線であり、特徴線ｄは唇の下を通る線であり、特徴線ｅは特徴線ａ及びｃを１対３に内分する線であり、特徴線ｆは唇の両端を通る線である。更に斜線の特徴線ａａは唇の端及び目尻を通る線であり、特徴線ｂｂは鼻の横及び目頭を通る線である。このように、図５に示す特徴線を少なくとも１つ用いて領域の特定を行う。
【００８６】
ここで、図６は、特徴線を用いた領域の特定方法の一例を示す図である。領域を特定する場合には、図６（ａ）、（ｂ）に示すように、複数の特徴線を用いてそれらの特徴線で囲まれる領域を特定領域５１，５２とする。また、図６（ｃ）に示すように、２つの特徴線の交点を基準に一定の面積又は縦横の長さを有する領域を特定領域５３としてもよく、図６（ｄ）に示すように、２つの特徴線の交点を中心に所定の半径を有する円形領域を特定領域５４とすることができる。なお、特定領域の大きさや形状等は特に限定されない。また、認証に用いられる特定領域は、１つでもよく、複数であってもよい。
【００８７】
上述の例では、顔画像を用いているが、例えば手の甲等の場合は、指の付け根や関節部分を基準にして特徴データを抽出し、抽出した特徴データから認証に用いられる領域を特定することができる。また、他の部位においても同様に予め設定された特徴データを基準に領域を特定することができる。
【００８８】
このように、特徴線により得られる特徴的な部分を含む領域の毛穴に関する情報を取得することができるため、より高精度な認証を行うことができる。また、迅速且つ効率的に認証範囲を設定することができる。また、認証毎における認証範囲の誤差をなくして高精度な認証を実現することができる。
【００８９】
＜認証手法＞
次に、上述した認証手段３６における認証手法について説明する。認証手段３６は、領域特定手段３４により特定された領域に基づいて毛穴抽出手段３５により上述した毛穴に関する情報を抽出し、抽出された情報及び撮影された画像により認証処理を行う。
【００９０】
具体的には、認証手段３６は、上述した撮影した画像から毛穴抽出手段３５により取得された毛穴間の配列情報や毛穴の特徴情報に基づいて認証を行う。なお、認証は、配列情報又は特徴情報を用いて行ってもよく、また配列情報及び特徴情報を組み合わせて行ってもよい。配列情報及び特徴情報を認証に用いることにより、毛穴に関する複数の情報を用いて多角的な認証を高精度に行うことができ、認証の安全性を向上させることができる。
【００９１】
また、認証は、毛穴抽出手段３５により抽出された毛穴に関する情報（毛穴の配列情報や特徴情報等）と、その情報に対応する予め登録された複数の人物に対する毛穴に関する情報（毛穴の配列情報や特徴情報等）とに基づいて、特徴点抽出照合法(マニーシャ法)やパターンマッチング法等により照合し認証を行う。
【００９２】
ここで、図７は、毛穴を用いた認証内容の一例を示す図である。図７に示すように、領域特定手段３４により特定された測定データの領域６０には、１又は複数の毛穴６１を有している。そこで、その毛穴６１から毛穴抽出手段３５によりそれぞれの毛穴の中心等を代表位置（特徴点）６２として抽出し、また配列情報等を抽出する。また、登録データとして予め複数の人数に対して上述の測定データの領域６０に対応した領域６３に含まれる毛穴６４の代表位置（特徴点）６５や配列情報が登録されているため、これらのデータから各毛穴に対する代表位置同士や配列情報等を照合して認証を行う。
【００９３】
また、図８は、パターンマッチングに基づく認証内容を説明するための一例の図である。認証手段３６は、図８に示すように、上述した測定データの領域６０に含まれる毛穴６１と、領域６０に対応する登録データの領域６３に含まれる毛穴６４とを、例えば毛穴の輪郭情報等に基づいてパターンマッチングすることにより、照合して認証を行うことができる。
【００９４】
また、図９は、毛穴の配列情報に基づく認証内容を説明するための一例の図である。認証手段３６は、ある領域内に含まれる複数の毛穴（図９においては、毛穴６１−１〜６１−４、６４−１〜６４−４）のうち、任意に特定した毛穴（例えば、毛穴６１−１，６４−１）を基準とした毛穴間の配列情報に基づいて認証を行う。
【００９５】
具体的には、配列情報として、図９において測定データの毛穴６１−１を基準として、その他の毛穴６１−２〜６１−４の毛穴間距離６６−１〜６６−３やその方向がそれぞれ抽出されている。また、登録データについても、毛穴６４−１を基準として、その他の毛穴６４−２〜６４−４の毛穴間距離６７−１〜６７−３やその方向がそれぞれ抽出されているため、これらの情報に基づいて認証を行う。なお、この場合、画像データの大きさを調整しておく必要があるが、その場合には、例えばある毛穴６１−１の大きさを基準に一方の画像を拡大・縮小することにより同一にし、同一となった登録データ及び測定データの画像を用いて比較を行う。
【００９６】
したがって、図９によれば、登録データが図９（ａ）に示すような配列である場合には、撮影された毛穴の測定データが図９（ｂ）に示すように配列されていれば、認証の結果同一であると判断することができる。また、撮影された毛穴の測定データが図９（ｃ）に示すように配列されていれば、認証の結果、異なる人物であると判断することができる。
【００９７】
また、認証手段３６は、例えば測定データと登録データの双方の特徴量である特徴ベクトルや特徴の行列の距離を算出し、特徴ベクトルと最も近い位置にある特徴ベクトルに対応する登録データを抽出することで認証を行うこともできる。
【００９８】
また、認証手段３６は、上述した特徴情報を用いて測定データと登録データが一致するか否かにより認証を行う。このとき、認証特定した認証領域中における産毛の色の平均値や、上述したランク付けを行っている場合には、それらの情報を特徴情報として、各ランクの個数、更には毛穴の代表点における毛穴に関する情報に基づいて認証を行う。
【００９９】
ここで、毛穴は時間と共に色や形、大きさが変化するが、毛穴自身が消滅、増加することはない。したがって、認証手段３６は、季節や時間による毛穴の変化に対してある程度の許容範囲を設けておく。なお、この許容範囲は、通常なら毛穴から生えている産毛がどのくらいの時間でどの程度伸びるか等の平均的なデータや、季節や時間、年齢、性別等により毛穴がどのように変化するかの平均的なデータに基づいて許容範囲が設定される。更に、本発明では、蓄積手段３７等により蓄積された今までの認証に用いられた各ユーザの経時的な毛穴に関する情報の変化に基づいて、ユーザ毎に許容範囲を設定することができる。
【０１００】
したがって、許容範囲は、例えば年齢等を基準にすれば、時間と共に上限及び下限の両方が変化するため、必然的に認証条件が変更されることになる。更に、毛穴には、大きさ、楕円の長短計比、色が毛穴により違うため、各毛穴毎に特徴等の情報を付加することができる。また、これらの情報に複数の毛穴の相互位置を付加した配列情報をも認証条件に加えることができるため、高精度な認証を行うことができる。
【０１０１】
なお、認証手段３６は、登録されたデータが認証に用いられる期限を設けてもよく、例えば登録されてからの認証期限を１日としたり、１週間、１ヶ月等にしておき、その期限を越えている場合には、認証エラーとする等の処理を行うことができる。
【０１０２】
このように、本実施形態による認証により、毛穴に関する情報を用いて情報を用いて高精度な人物認証を実現することができる。なお、認証手段３６は、複数の毛穴を用いて認証を行う場合には、認証前に毛穴毎に優先度を設けておき、その優先度順に認証を行ってもよい。これにより、優先順位を組み合わせて詳細な認証設定を実現することができる。
【０１０３】
更に、認証手段３６は、上述した認証手法を複数組み合わせて処理することができ、また人物の指紋や手相、静脈、顔画像、声、虹彩の身体的な特徴情報を用いた認証を行うことができる。したがって、より高精度な認証を実現することができる。
【０１０４】
ここで、上述した認証装置１２は、上述した機能を有する専用の装置構成により制御を行うこともできるが、各機能をコンピュータに実行させることができる実行プログラムを生成し、例えば汎用のパーソナルコンピュータ、サーバ等にその実行プログラムをインストールすることにより、本発明における認証処理を実現することができる。
【０１０５】
＜ハードウェア構成＞
ここで、本発明における認証処理が実現可能なコンピュータのハードウェア構成例について図を用いて説明する。図１０は、本発明における認証処理が実現可能なハードウェア構成の一例を示す図である。
【０１０６】
図１０におけるコンピュータ本体には、入力装置７１と、出力装置７２と、ドライブ装置７３と、補助記憶装置７４と、メモリ装置７５と、各種制御を行うＣＰＵ（Ｃｅｎｔｒａｌ  Ｐｒｏｃｅｓｓｉｎｇ  Ｕｎｉｔ）７６と、ネットワーク接続装置７７とを有するよう構成されており、これらはシステムバスＢで相互に接続されている。
【０１０７】
入力装置７１は、ユーザが操作するキーボード及びマウス等のポインティングデバイスを有しており、ユーザからのプログラムの実行等、各種操作信号を入力する。出力装置７２は、本発明における処理を行うためのコンピュータ本体を操作するのに必要な各種ウィンドウやデータ等を表示するモニタを有し、ＣＰＵ７６が有する制御プログラムによりプログラムの実行経過や結果等を表示することができる。
【０１０８】
ここで、本発明において、コンピュータ本体にインストールされる実行プログラムは、例えば、ＣＤ−ＲＯＭ等の記録媒体７８等により提供される。プログラムを記録した記録媒体７８は、ドライブ装置７３にセット可能であり、記録媒体７８に含まれる実行プログラムが、記録媒体７８からドライブ装置７３を介して補助記憶装置７４にインストールされる。
【０１０９】
補助記憶装置７４は、ハードディスク等のストレージ手段であり、本発明における実行プログラムや、コンピュータに設けられた制御プログラム等を蓄積し、必要に応じて入出力を行うことができる。
【０１１０】
ＣＰＵ７６は、ＯＳ（Ｏｐｅｒａｔｉｎｇ  Ｓｙｓｔｅｍ）等の制御プログラム、及びメモリ装置７５により読み出され格納されている実行プログラムに基づいて、各種演算や各ハードウェア構成部とのデータの入出力等、コンピュータ全体の処理を制御して、認証処理等における各処理を実現することができる。プログラムの実行中に必要な予め登録された毛穴に関する情報や認証時に利用する画像領域の特定情報等の各種データ等は、補助記憶装置７４から取得することができ、また実行結果等を格納することもできる。
【０１１１】
ネットワーク接続装置７７は、通信ネットワーク等と接続することにより、実行プログラムを通信ネットワーク１３に接続されている他の端末等から取得したり、プログラムを実行することで得られた実行結果又は本発明における実行プログラム自体を他の端末等に提供することができる。上述したようなハードウェア構成により、本発明における認証処理を実行することができる。また、プログラムをインストールすることにより、汎用のパーソナルコンピュータ等で本発明における認証を容易に実現することができる。
【０１１２】
＜認証処理手順＞
次に、本発明における認証システムにおける認証処理手順についてフローチャートを用いて説明する。図１１は、本発明における認証処理手順の一例を示すフローチャートである。なお、図１１に示すフローチャートは、上述した毛穴測定装置１１及び認証装置１２における認証システムについての処理手順である。
【０１１３】
図１１に示すフローチャートでは、まず認証システムを使用するにあたり、ユーザ登録されているか否かを判断する（Ｓ０１）。ここで、ユーザ登録されていない場合（Ｓ０１において、ＮＯ）、ユーザの登録を行う（Ｓ０２）。なお、登録されるユーザ情報としては、上述したように各測定内容を識別するための「ユーザＩＤ」や「パスワード」、「氏名」、「生年月日」、「性別」、「撮影日時」、「撮影部位」、「撮影した画像の有効期限」、「メモ（備考）」等がある。また、登録時には、認証に用いられる顔（全顔）や手の甲、腕等、毛穴を有する部位の画像を撮影する。
【０１１４】
なお、Ｓ０１の処理において、ユーザが登録されているか否かを判断する場合は、蓄積手段に蓄積されている情報から「ユーザＩＤ」や「パスワード」、「氏名」等を用いて検索することで、ユーザの登録の有無を確認することができる。
【０１１５】
次に、Ｓ０１において、既にユーザ登録済みである場合（Ｓ０１において、ＹＥＳ）、又はＳ０２において、ユーザ登録が完了した場合、ユーザにより認証に用いられる領域を設定する（Ｓ０３）。これにより、ユーザ自らが認証に用いる毛穴部位を選択することで、他の認証技術と異なり、認証に用いる部位を他人にわからせずに認証を行うことができる。これにより、安全性を向上させ、より厳しい認証システムを提供することができる。
【０１１６】
次に、設定した領域の毛穴を撮影し（Ｓ０４）、撮影した毛穴の画像からユーザによる認証領域の設定情報に基づいて、認証領域を特定する（Ｓ０５）。これにより、どの部位で認証が行われているかをユーザにわからせずに認証を行うことができる。したがって、より厳しい認証システムを提供することができる。
【０１１７】
次に、特定領域に基づいて上述した配列情報や毛穴の代表位置情報等の特徴情報等を抽出し（Ｓ０６）、抽出された配列情報や特徴情報、又はそれらの情報の組み合わせ等に基づいて認証を行い（Ｓ０７）、認証結果を認証装置又は毛穴測定装置に出力する（Ｓ０８）。更に、認証装置に認証結果の蓄積を行う（Ｓ０９）。なお、Ｓ０９の処理においては、認証結果や認証に用いた画像データ、認証領域に関する各種データも蓄積する。これにより、Ｓ０７における認証処理において経時的な個々の毛穴の特徴情報により、更に高精度な認証処理を実現することができる。
【０１１８】
上述したように本発明における認証処理により、高精度な認証を実現することができる。なお、上述したＳ０３及びＳ０５の処理は、両方行ってもよく、何れか一方であってもよい。このとき、例えばＳ０５の処理が省略される場合には、Ｓ０３の処理にて設定された認証領域に基づいてＳ０６における毛穴抽出処理を行う。また、Ｓ０３の処理が省略される場合には、Ｓ０５の処理にてＳ０４の処理にて撮影された画像からＳ０６の処理にて毛穴を抽出する領域を特定する。
【０１１９】
また、Ｓ０３及びＳ０５における領域の設定又は特定時に、前回又はそれ以前に設定又は特定された領域と同一の領域が所定回数以上連続する場合には、その旨を示すメッセージ等を毛穴測定装置におけるユーザ又は認証装置における管理者に提示して、設定を変更させるように指示してもよい。これにより、認証パラメータの安全性を向上させることができる。
【０１２０】
上述したように本発明によれば、毛穴に関する情報を用いて高精度な人物認証を行うことができる。また、本発明では、毛穴に関する情報の他にも画像情報から得られるしわやしみ、肌色等の解析結果等を組み合わせることで、より高精度な認証を実現することができる。
【０１２１】
本発明は、セキュリティを重視する施設への入退室や、情報システムへのログイン等の目的に使用することができる。また、犯罪者データベース等と照合することで、サングラスやマスク等により変装している場合に犯人と特定する等の技術に適用することができる。
【０１２２】
また、本発明における毛穴に関する情報を、例えば顔等の画像データと予め登録された画像データとのマッチング（照合）を行うような画像処理技術にも適用することができる。具体的には、画像データのマッチングを行う場合に、顔の目や鼻、口等の通常の特徴点ばかりではなく、本発明における毛穴に関する情報を用いることで、顔の位置や角度の位置合わせといった処理をより高精度に行うことができる。
【０１２３】
以上本発明の好ましい実施例について上述したが、本発明は係る特定の実施形態に限定されるものではなく、特許請求の範囲に記載された本発明の要旨の範囲内において、種々の変形、変更が可能である。
【図面の簡単な説明】
【０１２４】
【図１】本発明における認証システムの概略構成の一例を示す図である。
【図２】毛穴測定装置の機能構成の一例を示す図である。
【図３】認証装置の機能構成の一例を示す図である。
【図４】画像領域の設定方法の一例を示す図である。
【図５】本実施形態における認証領域を特定するための一例を示す図である。
【図６】特徴線を用いた領域の特定方法の一例を示す図である。
【図７】毛穴を用いた認証内容の一例を示す図である。
【図８】パターンマッチングに基づく認証内容を説明するための一例の図である。
【図９】毛穴の配列情報に基づく認証内容を説明するための一例の図である。
【図１０】本発明における認証処理が実現可能なハードウェア構成の一例を示す図である。
【図１１】本発明における認証処理手順の一例を示すフローチャートである。
【符号の説明】
【０１２５】
１０  認証システム
１１  毛穴測定装置
１２  認証装置
１３  通信ネットワーク
２１，３１  入力手段
２２，３２  出力手段
２３，３３  ユーザ管理手段
２４  認証領域設定手段
２５  撮影手段
２６，３７  蓄積手段
２７，３８  送受信手段
２８，３９  制御手段
３４  領域特定手段
３５  毛穴抽出手段
３６  認証手段
４１  顔
４２  認証用毛穴領域
４３  詳細領域
４４  手の甲
５１，５２，５３，５４  特定領域
６０，６３  領域
６１，６４  毛穴
６２，６５  代表位置
６６，６７  毛穴間距離
７１  入力装置
７２  出力装置
７３  ドライブ装置
７４  補助記憶装置
７５  メモリ装置
７６  ＣＰＵ
７７  ネットワーク接続装置
７８  記録媒体
【図１】
2007310676.tif 000003
【図２】
2007310676.tif 000004
【図３】
2007310676.tif 000005
【図４】
2007310676.tif 000006
【図６】
2007310676.tif 000007
【図７】
2007310676.tif 000008
【図９】
2007310676.tif 000009
【図１０】
2007310676.tif 000010
【図１１】
2007310676.tif 000011
【図５】
2007310676.tif 000012
【図８】
2007310676.tif 000013